(57)【要約】【課題】インレット部材と手すりベルトとの間に指先が挟まれたときに、インレット部材を速やかに分解して手間取ることなく速やかに被害者を救出することができる乗客コンベアのインレット装置を提供する。【解決手段】乗客コンベアの欄干に沿って走行移動する手すりベルト４が欄干の下部のスカート部６内に進入する部分に、手すりベルト４を包囲するように設けられるインレット部材１０を備えている。インレット部材１０は左右に分割可能な一対の分割体１０ａ，１０ｂで構成され、この分割可能なインレット部材１０がスカート部６に脱着可能に取り付けられている。手すりベルト４とインレット部材１０との間に手指が挟み込まれたときには、インレット部材１０を外し、インレット部材１０を両分割体１０ａ，１０ｂに分解する。【選択図】    図１
2010013280.tif 000002
【特許請求の範囲】
【請求項１】
乗客コンベアの欄干に沿って走行移動する手すりベルトが前記欄干の下部のスカート部内に進入する部分に、前記手すりベルトを包囲するように設けられるインレット部材を備え、
前記インレット部材が分割可能に構成されて前記スカート部に脱着可能に取り付けられていることを特徴とする乗客コンベアのインレット装置。
【請求項２】
前記インレット部材は左右に分割可能な一対の分割体に分割され、その分割面の一方に位置決め用の突起が、他方にその突起と嵌合する嵌合孔が形成されていることを特徴とする請求項１に記載の乗客コンベアのインレット装置。
【請求項３】
前記インレット部材は、これが設置される周辺部の色合いに対して視覚的に目立つ色合いの色調に着色されていることを特徴とする請求項１又は２に記載の乗客コンベアのインレット装置。
【発明の詳細な説明】
【技術分野】
【０００１】
この発明は、エスカレータや動く歩道等の乗客を搬送する乗客コンベアのインレット装置に関する。
【背景技術】
【０００２】
乗客コンベアとしての例えばエスカレータは、図３に示すように、建屋の下階と上階との間に亘って据え付けられたトラス１と、このトラス１に組み込まれて無端走行する乗客搬送用のステップ列２と、このステップ列２の両側に配置するようにトラス１に取り付けられた欄干３とで構成されている。
【０００３】
そして欄干３の周縁には無端状の手すりベルト４が装着され、この手すりベルト４がステップ列２と同期して無端走行する。欄干３の下部には建屋の上下階の乗降口５間に亘って延びるように、乗客の足元を保護するためのスカート部６が設けられ、また上下階の各乗降口５には乗客誘導用の乗降板７が設けられている。
【０００４】
欄干３の周縁に沿って走行する手すりベルト４はその走行に応じて順次スカート部６内に進入する。すなわち手すりベルト４は、エスカレータの上昇運転時には上階の乗降口５側におけるスカート部６の端部からその内側に進入し、下降運転時には下階の乗降口５側におけるスカート部６の端部からその内側に進入する。
【０００５】
そして手すりベルト４が進入するスカート部６の両端部の端面には、ゴムなどの弾性材料で形成されたインレット部材８が設けられ、このインレット部材８を通して手すりベルト４がスカート部６内に進入する。このようなインレット部材８については、例えば特開２００３−２７６９７６公報に開示されている。
【特許文献１】特開２００３−２７６９７６公報
【発明の開示】
【発明が解決しようとする課題】
【０００６】
ところで、インレット部材８は建屋のフロアから１０ｃｍ程度の高さに位置に設けられ、外方からは見えにくい位置に配置されている。このため子供や幼児が乗降口５の周辺で遊んでいる間に、インレット部材８に指先を触れ、その指先がインレット部材８と手すりベルト４との間の隙間（通常５ｍｍ程度）に引き込まれ、不測のけがを負うような危険が想定される。
【０００７】
このため、インレット部材８と手すりベルト４との間に指先が挟まれたときに、その圧力で安全スイッチが作動し、手すりベルト４の移動が停止するような安全装置が一般に設けられている。
【０００８】
インレット部材８と手すりベルト４との間に指先が引き込まれ、安全装置が作動して手すりベルト４の移動が停止したときには、インレット部材８と手すりベルト４との間の隙間から指先を引き抜くわけであるが、自力で引き抜ければよいが、自力で引き抜けないような場合には、係員がインレット部材８をスカート部６から外して救出することになる。
【０００９】
しかしながら、従来のインレット部材８は、手すりベルト４の外周のほぼ全体を包囲するほぼ筒形状の一体品となっており、このためインレット部材８をスカート部６から外しても、インレット部材８を手すりベルト４から分離することが難しく、このため救出に手間がかかってしまうという課題がある。
【００１０】
この発明はこのような点に着目してなされたもので、その目的とするところは、インレット部材と手すりベルトとの間に指先が挟まれたときに、インレット部材を速やかに分解して手間取ることなく速やかに被害者を救出することができる乗客コンベアのインレット装置を提供することにある。
【課題を解決するための手段】
【００１１】
このような目的を達成するために、請求項１の発明は、乗客コンベアの欄干に沿って走行移動する手すりベルトが前記欄干の下部のスカート部内に進入する部分に、前記手すりベルトを包囲するように設けられるインレット部材を備え、前記インレット部材が分割可能に構成されて前記スカート部に脱着可能に取り付けられていることを特徴ととしている。
【００１２】
請求項２の発明は、前記インレット部材が左右に分割可能な一対の分割体に分割され、その分割面の一方に位置決め用の突起が、他方にその突起と嵌合する嵌合孔が形成されていることを特徴としている。
【００１３】
請求項３の発明は、前記インレット部材が、これが設置される周辺部の色合いに対して視覚的に目立つ色合いの色調に着色されていることを特徴としている。
【発明の効果】
【００１４】
この発明のインレット装置によれば、インレット部材と手すりベルトとの間に指先が挟まれたときに、インレット部材を速やかに分解して手間取ることなく速やかに被害者を救出することができる。
【発明を実施するための最良の形態】
【００１５】
以下、この発明の実施の形態について図１及び図２を参照して説明する。なお、図３に示す構成と対応する部分には同一の符号を付してその説明を省略する。
【００１６】
図１に示すように、手すりベルト４がスカート部６に進入する部分にこの発明の一実施形態に係るインレット部材１０が設けられている。このインレット部材１０は、これが設置された周辺部の色合いに対して視覚的に目立つ色調の色に着色されている。例えばインレット部材１０の周辺部は暗色系の色合いである場合が多いから、インレット部材１０の全体がその暗色系に対して目立つ黄色に着色されている。
【００１７】
インレット部材１０は、ゴムなどの適度な弾性を有する材料で形成され、手すりベルト４の外周のほぼ全体を包囲する筒部１１と、この筒部１１の一端側縁部にその外方に平面状に拡がるフランジ部１２とを備えている。そしてフランジ部１２の隅部に定着具としてのボルト１３が挿入され、これらボルト１３によりインレット部材１０がスカート部６の端面に脱着可能に取り付けられている。
【００１８】
インレット部材１０は、図２に示すように、左右に分割可能な一対の分割体１０ａ，１０ｂで構成されている。各分割体１０ａ，１０ｂは、分割筒部１１ａ，１１ｂ及び分割フランジ部１２ａ，１２ｂを有し、両分割体１０ａ，１０ｂの分割面１４ａ，１４ｂを互いに突き当てることで、分割筒部１１ａ，１１ｂの両者で筒部１１が構成され、分割フランジ部１２ａ，１２ｂの両者でフランジ部１２が構成されるようになっている。
【００１９】
そして、各分割体１０ａ，１０ｂにおける各分割フランジ部１２ａ，１２ｂの隅部に、ボルト１３を通すための透孔１５が形成されている。
【００２０】
また、分割体１０ａ，１０ｂの一方の分割面１４ａには位置用の突起１６が設けられ、他方の分割面１４ｂにはその突起１６と嵌合可能な嵌合孔１７が形成されている。突起１６は、一方の分割体１０ａにおける分割筒部１１ａ及び分割フランジ部１２ａの各端面に設けられ、嵌合孔１７は、他方の分割体１０ｂにおける分割筒部１１ｂ及び分割フランジ部１２ｂの各端面に設けられている。
【００２１】
一対の分割体１０ａ，１０ｂは、突起１６と嵌合孔１７とが互いに嵌合する位置決めされ、この位置決めされた組立状態でスカート部６にボルト１３を介して脱着可能に取り付けられている。
【００２２】
このようなインレット装置においては、インレット部材１０がその周辺の色合いに対して目立つ色調の色、すなわち黄色に着色されており、このためインレット装置の周辺で子供や幼児が遊んでいるような場合、危険性のあるインレット部材１０の存在をその近くの大人が認識してインレット部材１０に子供や幼児が触れないように注意を払うようになり、これによりインレット部材１０と手すりベルト４との間に指先が挟まれるような危険を未然に防止することができる。
【００２３】
これに対し、注意が不十分で、万が一、インレット部材１０と手すりベルト４との間に指先が挟まれるようなことがあると、安全装置が作動して手すりベルト４の走行移動が停止する。そして係員がボルト１３を外すと、インレット部材１０が分割構造であるため、インレット部材１０が各分割体１０ａ，１０ｂに分離して手すりベルト４から直ぐに離脱し、したがって挟み込まれた手指が速やかに解放され、被害の子供や幼児を速やかに救出することができる。  
なお、この発明のインレット装置は、エスカレータに適用する場合に限らず、乗客コンベアとしての動く歩道等に適用することも可能である。
【００２４】
以上説明したように、この発明によれば、インレット部材と手すりベルトとの間に指先が挟まれたときに、インレット部材を速やかに分解して手間取ることなく速やかに被害者を救出することができる。
【図面の簡単な説明】
【００２５】
【図１】この発明の一実施形態に係るインレット装置を示す正面図。
【図２】そのインレット装置におけるインレット部材の分解状態の斜視図。
【図３】一般的なエスカレータの全体の構成を示す構成図。
【符号の説明】
【００２６】
１…トラス
２…ステップ列
３…欄干
４…手すりベルト
５…乗降口
６…スカート部
７…乗降板
１０…インレット部材
１０ａ．１０ｂ…分割体
１１…筒部
１１ａ．１１ｂ…分割筒部
１２…フランジ部
１２ａ．１２ｂ…分割フランジ部
１３…ボルト
１４ａ．１４ｂ…分割面
１５…透孔
１６…突起
１７…嵌合孔
【図１】
2010013280.tif 000003
【図２】
2010013280.tif 000004
【図３】
2010013280.tif 000005